(57)【要約】【課題】全体としての配管を簡素化し、コスト低減も図り、設置工事も簡素化できるビルトインタイプの給湯装置を提供することを目的とする。【解決手段】開閉装置５を有する給水経路４と、本体３と、水栓１０と、加熱装置７を装着し前記本体３内に内蔵された貯湯用の容器６と、一端が前記容器６の略底部に連通し他端は前記水栓１０に有する出湯口１５に連通する出湯経路８と、前記出湯経路８の途中に配した出湯装置９と、一端が前記容器６内上部の空気層に連通し他端は前記本体３外に開放した開放口２１に連通した空気経路２２とから構成したものである。これにより、本体３から水栓１０に連通する熱湯に関する配管を１本とし、開放口２１を有する配管を本体３側のみで処理し、全体としての配管を簡素化し、コスト低減も図り、設置工事も簡素化できる。【選択図】  図１
2004360962.tif 000002
【特許請求の範囲】
【請求項１】
装置の本体と、この本体内に内蔵され、加熱装置を装着した貯湯用の容器と、この容器に給水する、開閉装置を有する給水経路と、一端が前記容器に連通し他端は水栓の出湯口に連通する出湯経路と、一端が前記容器内の上部の空気層に連通し他端は本体外に開放した開放口に連通した空気経路とを有する給湯装置。
【請求項２】
装置の本体と、この本体内に内蔵され、加熱装置を装着した貯湯用の容器と、この容器に給水する、開閉装置を有する給水経路と、一端が前記容器に連通し他端は水栓の出湯口に連通する出湯経路と、一端が前記容器内の上部の空気層に連通し他端は本体内に開放した開放口に連通した空気経路とを有する給湯装置。
【請求項３】
空気経路には空気入出装置を配した請求項１または２に記載の給湯装置。
【請求項４】
空気経路には開閉装置を配した請求項１または２に記載の給湯装置。
【発明の詳細な説明】
【０００１】
【発明の属する技術分野】
本発明は一般家庭で使用する飲用、調理用の高温のお湯を供給するビルトインタイプの給湯装置に関するものである。
【０００２】
【従来の技術】
従来のシンクキャビネット下にビルトインされた開放型貯湯容器式の給湯装置は、装置の本体に、水栓部の出湯口に連通する配管と、蒸気逃がし口（空気口）に連通する配管との２本の配管（熱湯に関係する配管のみで浄水に関する配管は含まない）を必要とする構成となっていた（例えば、特許文献１参照）。
【０００３】
【特許文献１】
特開２００２−１９５６５２号公報
【０００４】
【発明が解決しようとする課題】
しかしながら、前記従来の構成では、本体から水栓部の出湯口に連通する配管と、蒸気逃がし口に連通する配管との２本の配管（熱湯に関係する配管のみ）が必要であるため、配管が複雑で、コストもかかり、設置工事も複雑になるという課題があった。
【０００５】
本発明は、前記従来の課題を解決するもので、全体としての配管を簡素化し、コスト低減も図り、設置工事も簡素化できるビルトインタイプの給湯装置を提供することを目的とする。
【０００６】
【課題を解決するための手段】
前記目的を達成するために、本発明の給湯装置は、一端が容器に連通し他端は水栓の出湯口に連通する出湯経路と、一端が容器内の上部の空気層に連通し他端は本体外に開放した開放口に連通した空気経路とを有するものである。
【０００７】
これにより、本体から水栓に連通する熱湯に関する配管を１本とし、開放口を有する配管を本体側のみで処理し、全体としての配管を簡素化し、コスト低減も図り、設置工事も簡素化できるビルトインタイプの給湯装置が提供できるものである。
【０００８】
【発明の実施の形態】
請求項１に記載の発明は、装置の本体と、この本体内に内蔵され、加熱装置を装着した貯湯用の容器と、この容器に給水する、開閉装置を有する給水経路と、一端が前記容器に連通し他端は水栓の出湯口に連通する出湯経路と、一端が前記容器内の上部の空気層に連通し他端は本体外に開放した開放口に連通した空気経路とを有する給湯装置とすることにより、本体から水栓に連通する熱湯に関する配管を１本とし、開放口を有する配管を本体側のみで処理し、全体としての配管を簡素化し、コスト低減も図り、設置工事も簡素化できるものである。
【０００９】
請求項２に記載の発明は、装置の本体と、この本体内に内蔵され、加熱装置を装着した貯湯用の容器と、この容器に給水する、開閉装置を有する給水経路と、一端が前記容器に連通し他端は水栓の出湯口に連通する出湯経路と、一端が前記容器内の上部の空気層に連通し他端は本体内に開放した開放口に連通した空気経路とを有する給湯装置とすることにより、本体から水栓に連通する熱湯に関する配管を１本とし、開放口を有する配管を本体側のみで処理し、全体としての配管を簡素化し、コスト低減も図り、設置工事も簡素化できる。同時に、開放口を本体内に開放しているため、埃などが空気経路内に入ることを少なくすることができる。
【００１０】
請求項３に記載の発明は、空気経路には空気入出装置を配した請求項１または２に記載の給湯装置とすることにより、埃などが空気経路内に入ることを防止できる。
【００１１】
請求項４に記載の発明は、空気経路には開閉装置を配した請求項１または２に記載の給湯装置とすることにより、埃などが空気経路内に入ることを少なくすることができる。
【００１２】
【実施例】
以下、本発明の実施例について、図面を参照しながら説明する。
【００１３】
（実施例１）
図１は本発明の実施例１における給湯装置を示したものである。
【００１４】
図において、１は一般の水道管、２はシンクキャビネット、３はシンクキャビネット３内に内蔵された装置の本体、４は水道管１から分岐し本体３に給水する給水経路、５は給水経路４の途中に配し水路の開閉が可能な開閉装置、６は本体３に内蔵された略密閉の貯湯用の容器で、給水経路３より給水される。
【００１５】
７は容器６内の液体を所定温度まで加熱及び一定温度で保温する加熱装置、８は容器６内の液体を外部に出湯する出湯経路で、一端が前記容器６に連通し他端は水栓（後記）の出湯口に連通する。
【００１６】
９は出湯経路８の途中に配したインペラー式ポンプのなどの出湯装置、１０はシンクキャビネット２の上面のシンクに臨んで設置された水栓、１１は給水経路４の容器６の上部に連通する給水口、１２は容器６内の満水位より上に位置し給水口１１より下に位置した水受皿、１３は水受皿１２に給水された水を一旦貯め加熱装置７の近傍まで徐々に導く給水パイプ、１４は出湯経路８の一端である取水口で、容器６の底面より少し高い位置に設けている。
【００１７】
１５は出湯経路８の他端で水栓１０に設けた出湯口、１６は給水経路４の開閉装置５と給水口１１の間に配した水道水を活性炭や中空糸膜フィルターなどで浄化する浄水カートリッジ、１７は浄水カートリッジ１６と給水口１１の間に配した切替え弁、１８は浄水口、１９は切替え弁１７と浄水口１８を連通する浄水経路、２０は容器６内の水温を検知する水温センサー、２１は本体３外に開放した開放口、２２は一端を容器６内上部の空気層に連通し、他端を開放口２１に連通した空気経路、２４は容器６内の水位を検知する水位センサー、２５は水栓１０に配した表示操作部、２６は水温センサー２０・水位センサー２３・表示操作部２５等からの情報にもとづき開閉装置５・加熱装置７・出湯装置９・切替え弁１７等を制御する制御装置である。
【００１８】
以上の様に構成された給湯装置について、以下にその動作、作用を説明する。まず、水道水が開閉装置５の開閉により浄水カートリッジ１６で浄化され約１００〜２００ｍｌ程度の少量ずつ給水される。この時、給水された水は一旦水受皿１２に受けられ給水パイプ１３をゆっくり通過して容器６の取水口１４より低い底部近傍に水の温度による比重差により静かに給水される。一定量給水されると水温センサー２０により給水されたことを検知し加熱装置７により加熱を開始し水温センサー２０により所定温度まで加熱し沸騰前まで湯沸しする。この給水、加熱の繰返しにより、水位センサー２４により所定の湯量（満水位）まで加熱を継続する。加熱完了後、保温に移行し湯温を一定温度に維持する。加熱による容器６内の湯温上昇とともに容器６内上部の空気層が膨張するが、空気経路２２から開放口２１を通り大気に開放される。
【００１９】
容器６内の湯の出湯は、表示操作部２５への外部からの操作で、出湯装置９により容器６内の取水口１４から出湯経路８を通り出湯口１５より任意に出湯可能となる。この時、容器６内の湯の減少と共に開放口２１から空気を取り込みスムースな出湯が可能となる。また、容器６が開放口２１により大気に開放されているため、出湯停止後は出湯経路８内の湯が容器６内の水位と同じ高さまで湯が素早く戻る。
【００２０】
出湯後、容器６内の湯量が減ると、水位センサー２４からの情報により制御装置２６が自動的に開閉装置５を開閉し、前述の小水量加熱（一回の給水が約１００〜２００ｍｌ程度の給水・加熱）を所定の水量（満水位）まで繰り返し行い常に所定の水量を維持している。容器６内への給水中も取水口１４が容器６底面より少し高い位置にあるため、水の温度による比重差でゆっくり給水された水は容器底部に静かに給水される。このため、元々あった容器６内の高温の湯だけを取り出すことができる。飲用や調理にこの湯をふんだんに使い、効率よく飲用や調理を行うことができる。
【００２１】
また、空気経路２２が本体３部の開放口２１で大気に連通しているため、本体３と水栓１０の間が１本の配管で実現でき、配管を簡素化し、コスト低減を図り、さらに配管工事も簡素化できる。
【００２２】
（実施例２）
図２は本発明の実施例２における給湯装置を示したものである。実施例１と異なる点は、空気経路２２の開放口２１を本体３の内部に開放したことである。他は同じである。
【００２３】
このように、本実施例では、空気経路２２の開放口２１を本体３の内部に開放したため、本体３と水栓１０の間が１本の配管で実現でき、配管を簡素化し、コスト低減を図り、さらに配管工事も簡素化できることに加え、開放口２１を本体３内に開放しているため、埃などが空気経路２２内に入ることを少なくできるものである。
【００２４】
（実施例３）
図３は本発明の実施例３における給湯装置の本体部分を示したものである。実施例１、２と異なる点は、空気経路２２の開放口２１近傍に、空気は通過できるが、水などの液体は透過しない空気透過膜２７を有する空気入出装置２８を配したことである。図中、（ａ）は開放口２１を本体３外の表面に開放したもので、（ｂ）は開放口２１を本体３内に開放した構成を示したものである。他は実施例１、２と同じである。
【００２５】
本実施例においては、空気経路２２の開放口２１近傍に、空気は通過できるが、水などの液体は透過しない空気透過膜２７を有する空気入出装置２８を配することにより、本体３から水栓１０の出湯口１５に連通する配管を１本にし、配管を簡素化し、コスト低減を図り、さらに設置工事も簡素化できるとともに、開放口２１からは空気入出装置２８により、埃などが空気経路２２内に入ることを防止できる。
【００２６】
（実施例４）
図４は本発明の実施例４における給湯装置の本体部分を示したものである。実施例１、２と異なる点は、空気経路２２の開放口２１近傍に、第二の開閉装置２９を配したことである。この開閉装置２９は、通常時は閉状態で、給水・湯沸し・出湯等の時のみ開状態で容器６内の圧力変化を大気圧に開放し、また保温時の微妙な圧力変化もあらかじめ決められたタイミングで開閉を繰返すことにより容器６内の圧力を大気圧に開放し大気圧を維持するものである。図中、（ａ）は開放口２１を本体３外の表面に開放したもので、（ｂ）は開放口２１を本体３内に開放した構成を示したものである。他は実施例１、２と同じである。
【００２７】
本実施例においては、空気経路２２の開放口２１近傍に、第二の開閉装置２９を配したことにより、本体３から水栓１０の出湯口１５に連通する配管を１本にし、配管を簡素化し、コスト低減を図り、さらに設置工事も簡素化できるとともに、埃などが空気経路２２内に入ることを少なくすることができる。
【００２８】
【発明の効果】
以上のように、本発明の給湯装置によれば、本体から水栓に連通する熱湯に関する配管を１本とし、開放口を有する配管を本体側のみで処理し、全体としての配管を簡素化し、コスト低減も図り、設置工事も簡素化できるビルトインタイプの給湯装置が提供できるものである。
【図面の簡単な説明】
【図１】本発明の実施例１における給湯装置の全体構成を示す断面図
【図２】本発明の実施例２における給湯装置の全体構成を示す断面図
【図３】（ａ）は本発明の実施例３における給湯装置において開放口を本体外に開放した構成を示す断面図
（ｂ）は同開放口を本体内に開放した構成を示す断面図
【図４】（ａ）は本発明の実施例４における給湯装置において開放口を本体外に開放した構成を示す断面図
（ｂ）は同開放口を本体内に開放した構成を示す断面図
【符号の説明】
３  本体
４  給水経路
５、２９  開閉装置
６  容器
７  加熱装置
８  出湯経路
９  出湯装置
１０  水栓
１５  出湯口
２１  開放口
２２  空気経路
２８  空気入出装置
【図１】
2004360962.tif 000003
【図２】
2004360962.tif 000004
【図３】
2004360962.tif 000005
【図４】
2004360962.tif 000006